(57)【要約】【解決手段】側壁１に沿う通路Ｓで段板２を上下方向Ｚへ段差状に配設するとともに、段板２の下側に蹴込み板３を設けている。側壁１の外面１ａに面して配設した横幅板４を段板２の端部上面に当てがっているとともに、横幅板４の下側で側壁１の外面１ａに面して配設した縦幅板５を蹴込み板３の端部外面に当てがっている。横幅板４の下側には縦幅板５の上部に設けた調整端部７ａが挿入される逃げ空間Ｇを切欠部８により設けている。階段の施工現場において横幅板４と縦幅板５とを互いに組み付ける際、横幅板４の逃げ空間Ｇの範囲で縦幅板５の調整端部７ａを移動させて横幅板４に対する縦幅板５の位置を設定することができる。そのため、階段の施工現場では、予め用意した横幅板４と縦幅板５とを互いに組み付けるだけでよく、それらを加工する必要はなくなる。【効果】階段の施工現場において横幅板４と縦幅板５との組付作業を容易に行うことができる。【選択図】図３
2007204976.tif 000002
【特許請求の範囲】
【請求項１】
側壁に沿う通路で段板を上下方向へ段差状に配設した階段において、この側壁の外面に面する横幅板をこの段板の端部の上面に面して配設するとともに、この側壁の外面に面する縦幅板をこの横幅板の下側に配設し、この横幅板の下側にはこの縦幅板の上部に設けた調整端部が挿入される逃げ空間を設けたことを特徴とする階段における横幅板と縦幅板との組付構造。
【請求項２】
側壁に沿う通路で段板を上下方向へ段差状に配設するとともにこの段板の下側に蹴込み板を設けた階段において、この側壁の外面に面する横幅板をこの段板の端部の上面に面して配設するとともに、この側壁の外面に面する縦幅板をこの横幅板の下側でこの蹴込み板の端部の外面に面して配設し、この横幅板の下側にはこの縦幅板の上部に設けた調整端部が挿入される逃げ空間を設けたことを特徴とする階段における横幅板と縦幅板との組付構造。
【請求項３】
前記横幅板の下側で横幅板の内側には切欠部を設け、この切欠部は側壁に沿う通路側で隠蔽壁により塞がれ、前記逃げ空間はこの隠蔽壁の内側で切欠部に設けられ、前記縦幅板の調整端部はこの切欠部の下側から逃げ空間に挿入されることを特徴とする請求項１または請求項２に記載の階段における横幅板と縦幅板との組付構造。
【請求項４】
前記縦幅板の上部には前記段板が嵌め込まれる段差空間を設けたことを特徴とする請求項１または請求項２または請求項３に記載の階段における横幅板と縦幅板との組付構造。
【請求項５】
前記縦幅板の上部には前記段差空間に嵌め込まれた段板に面する腕部を設け、前記調整端部はこの腕部の上端部に設けられていることを特徴とする請求項４に記載の階段における横幅板と縦幅板との組付構造。
【請求項６】
前記縦幅板の下端部は段板の端部の上面に当てがわれていることを特徴とする請求項４または請求項５に記載の階段における横幅板と縦幅板との組付構造。
【請求項７】
側壁に沿う通路で段板を上下方向へ段差状に配設するとともにこの段板の下側に蹴込み板を設けた階段において、この側壁の外面とこの段板の端部の上面とに面して配設される横幅板と、この横幅板の下側でこの側壁の外面とこの蹴込み板の端部の外面とに面して配設される縦幅板とを備え、
前記横幅板の下側で横幅板の内側には段板の端部の上面に沿って横幅板の長手方向へ延びる切欠部を設けるとともに、この切欠部内に設けた逃げ空間を側壁に沿う通路側で隠蔽壁により塞ぎ、前記縦幅板の上端部には前記横幅板の切欠部の下側から逃げ空間に挿入される調整端部を設けた
ことを特徴とする階段用幅木。
【発明の詳細な説明】
【技術分野】
【０００１】
本発明は、側壁に沿う通路で段板を上下方向へ段差状に配設した階段において、その段板の端部側で側壁に面して配設される横幅板と縦幅板との組付構造、並びに、その横幅板と縦幅板とを備えた階段用幅木に関するものである。
【背景技術】
【０００２】
従来、図５（ａ）に示す階段では、左右両側壁１間の通路において、複数の段板２がその左右両側壁１間で上下方向へ段差状に配設され、互いに隣接する上側段板２と下側段板２との間に蹴込み板３が嵌め込まれている。図５（ｂ）に示す左右両横幅板４は左右両側壁１に面して各段板２の左右両端部の上面に当てがわれ、図５（ｂ）に示す左右両縦幅板５は左右両側壁１に面して各蹴込み板３の左右両端部の外面に当てがわれている。これらの縦幅板５には段板２が嵌め込まれる切欠き１１が形成されている。前記左右両横幅板４の前後両端部には４５度の傾斜状をなす当接面１２，１３が形成されている。左右両縦幅板５の上下両端部には４５度の傾斜状をなす当接面１４，１５が形成されている。この左右両横幅板４の前側当接面１２とこの左右両縦幅板５の上側当接面１４とが互いに突き合されているとともに、この左右両横幅板４の後側当接面１３とこの左右両縦幅板５の下側当接面１５とが互いに突き合されている。
【発明の開示】
【発明が解決しようとする課題】
【０００３】
しかし、階段の施工現場において横幅板４と縦幅板５とを互いに組み付ける際、これらの当接面１２，１３，１４，１５が互いに合いにくいため、階段の施工現場で横幅板４及び縦幅板５を加工して当接面１２，１３，１４，１５を形成している。そのため、階段の施工現場において横幅板４と縦幅板５との組付作業が大変面倒になっていた。
【０００４】
この発明は、階段の施工現場において横幅板と縦幅板との組付作業を容易に行うことを目的としている。
【課題を解決するための手段】
【０００５】
後記実施形態の図面（図１〜４）の符号を援用して本発明を説明する。
請求項１の発明にかかる階段の横幅板と縦幅板との組付構造は下記のように構成されている。
【０００６】
この階段においては、側壁１に沿う通路Ｓで段板２を上下方向Ｚへ段差状に配設している。この側壁１の外面１ａに面する横幅板４をこの段板２の端部の上面に面して配設するとともに、この側壁１の外面１ａに面する縦幅板５をこの横幅板４の下側に配設し、この横幅板４の下側にはこの縦幅板５の上部に設けた調整端部７ａが挿入される逃げ空間Ｇを設けている。
【０００７】
請求項２の発明にかかる階段の横幅板と縦幅板との組付構造は下記のように構成されている。
この階段においては、側壁１に沿う通路Ｓで段板２を上下方向Ｚへ段差状に配設するとともにこの段板２の下側に蹴込み板３を設けている。この側壁１の外面１ａに面する横幅板４をこの段板２の端部の上面に面して配設するとともに、この側壁１の外面１ａに面する縦幅板５をこの横幅板４の下側でこの蹴込み板３の端部の外面に面して配設している。この横幅板４の下側にはこの縦幅板５の上部に設けた調整端部７ａが挿入される逃げ空間Ｇを設けている。
【０００８】
請求項１〜２の発明では、階段の施工現場において横幅板４と縦幅板５とを互いに組み付ける際、横幅板４の逃げ空間Ｇの範囲で縦幅板５の調整端部７ａを移動させて横幅板４に対する縦幅板５の位置を設定することができる。そのため、階段の施工現場では、予め用意した横幅板４と縦幅板５とを互いに組み付けるだけでよく、それらを加工する必要はなくなる。
【０００９】
請求項１または請求項２の発明を前提とする請求項３の発明は下記のように構成されている。
前記横幅板４の下側で横幅板４の内側には切欠部８を設けている。この切欠部８は側壁１に沿う通路Ｓ側で隠蔽壁９，１０により塞がれている。前記逃げ空間Ｇはこの隠蔽壁９，１０の内側で切欠部８に設けられている。前記縦幅板５の調整端部７ａはこの切欠部８の下側から逃げ空間Ｇに挿入される。この切欠部８の形状については、広義に解釈し、後記実施形態のような段差状ばかりではなく、溝や穴などの凹みであってもよい。請求項３の発明では、横幅板４の逃げ空間Ｇや縦幅板５の調整端部７ａを横幅板４の隠蔽壁９，１０により隠して通路Ｓ側から見えないようにすることができる。
【００１０】
請求項１または請求項２または請求項３の発明を前提とする請求項４の発明において、前記縦幅板５の上部には前記段板２が嵌め込まれる段差空間６を設けている。請求項４の発明では、縦幅板５の段差空間６により段板２を支えることができる。
【００１１】
請求項４の発明を前提とする請求項５の発明において、前記縦幅板５の上部には前記段差空間６に嵌め込まれた段板２に面する腕部７を設け、前記調整端部７ａはこの腕部７の上端部に設けられている。請求項５の発明では、縦幅板５に段差空間６を形成するために縦幅板５に形成した腕部７を有効に利用して調整端部７ａを容易に形成することができる。
【００１２】
請求項４または請求項５の発明を前提とする請求項６の発明において、前記縦幅板５の下端部５ｂは段板２の端部の上面に当てがわれている。請求項６の発明では、上側段板２に生じる荷重を縦幅板５を介して下側段板２で受けることができる。
【００１３】
請求項７の発明にかかる階段用幅木は下記のように構成されている。
この階段用幅木は、側壁１に沿う通路Ｓで段板２を上下方向Ｚへ段差状に配設するとともにこの段板２の下側に蹴込み板３を設けた階段において、この側壁１の外面１ａとこの段板２の端部の上面とに面して配設される横幅板４と、この横幅板４の下側でこの側壁１の外面１ａとこの蹴込み板３の端部の外面とに面して配設される縦幅板５とを備えている。前記横幅板４の下側で横幅板４の内側には段板２の端部の上面に沿って横幅板４の長手方向Ｘへ延びる切欠部８を設けるとともに、この切欠部８内に設けた逃げ空間Ｇを側壁１に沿う通路Ｓ側で隠蔽壁９，１０により塞いでいる。前記縦幅板５の上端部には前記横幅板４の切欠部８の下側から逃げ空間Ｇに挿入される調整端部７ａを設けている。
【００１４】
請求項７の発明では、階段の施工現場において横幅板４と縦幅板５とを互いに組み付ける際、横幅板４の逃げ空間Ｇの範囲で縦幅板５の調整端部７ａを移動させて横幅板４に対する縦幅板５の位置を設定すれば、予め用意した横幅板４と縦幅板５とを階段の施工現場で互いに組み付けるだけでよく、それらを階段の施工現場で加工する必要はなくなる。また、横幅板４の逃げ空間Ｇや縦幅板５の調整端部７ａを横幅板４の隠蔽壁９，１０により隠して通路Ｓ側から見えないようにすることができる。
【発明の効果】
【００１５】
本発明は、階段の施工現場において横幅板４と縦幅板５との組付作業を容易に行うことがきる。
【発明を実施するための最良の形態】
【００１６】
以下、本発明の一実施形態にかかる階段について図１〜４を参照して説明する。
図３（ｂ）に示すように左右方向Ｙの両側に取り付けられた左右両側壁１の外面１ａ間でその左右両外面１ａに沿って図３（ａ）に示すように前後方向Ｘへ延びる通路Ｓにおいて、図１及び図３（ａ）に示す複数の段板２がその左右両側壁１の外面１ａ間で階段状の左右両下地側板（図示せず）上に架設されて上下方向Ｚへ段差状に配設されている。互いに隣接する上下両段板２のうち上側段板２の前端部２ａの下側に蹴込み板３の上端部３ａが嵌め込まれてその蹴込み板３が階段状の左右両下地側板（図示せず）に沿って上側段板２から下方へ延び、下側段板２の後端部２ｂにこの蹴込み板３の下端部３ｂが当てがわれている。
【００１７】
図２（ａ）に示す左側の横幅板４は左側の側壁１の外面１ａに面して各段板２の左端部の上面に当てがわれた状態で取着され、図２（ｂ）に示す右側の横幅板４は右側の側壁１の外面１ａに面して各段板２の右端部の上面に当てがわれた状態で取着されている。図２（ａ）に示す左側の縦幅板５は左側の側壁１の外面１ａに面して各蹴込み板３の左端部の外面に当てがわれた状態で取着され、図２（ｂ）に示す右側の縦幅板５は右側の側壁１の外面１ａに面して各蹴込み板３の右端部の外面に当てがわれた状態で取着されている。これらの縦幅板５の上部５ａには段板２の前端部２ａが嵌め込まれる段差空間６が形成されている。この段差空間６の前側は腕部７により塞がれ、その腕部７の内側が段板２の前端部２ａに当てがわれている。これらの縦幅板５の下端部５ｂは、蹴込み板３の外面と横幅板４の後端部４ｂとの間に嵌め込まれ、段板２の後端部２ｂの上面に当てがわれているとともに、横幅板４の後端部４ｂに当てがわれている。
【００１８】
前記横幅板４の下側で横幅板４の内側には横幅板４の前端部４ａと後端部４ｂとにわたり前後方向Ｘに沿って長手方向へ延びる切欠部８が段差状に形成されている。この切欠部８は、側壁１に沿う通路Ｓ側で側隠蔽壁９により塞がれているとともに横幅板４の前端部４ａ側で前隠蔽壁１０により塞がれ、この側隠蔽壁９の内側と前隠蔽壁１０の内側と側壁１の外面１ａと縦幅板５の下端部５ｂと段板２の上面とで囲まれた逃げ空間Ｇを形成している。この横幅板４の前端部４ａは段板２の前端部２ａから前方へ若干突出し、その前端部４ａでこの逃げ空間Ｇが下方へ開放されている。前記縦幅板５の腕部７の上端部に形成された調整端部７ａがこの逃げ空間Ｇに対しその下側から挿入されている。この逃げ空間Ｇは上下方向Ｚの深さＷを有している。
【００１９】
このような横幅板４と縦幅板５とは階段の施工現場に運搬される前に予め製造される。階段の施工現場において横幅板４と縦幅板５とを互いに組み付ける際、横幅板４の逃げ空間Ｇの深さＷの範囲で縦幅板５の調整端部７ａを上下方向Ｚへ移動させて横幅板４に対する縦幅板５の位置を設定する。
【００２０】
図４に示す別例では縦幅板５の下端部５ｂが横幅板４の後端部４ｂの上面に当てがわれている。なお、横幅板４において切欠部８を前端部４ａの下側にのみ形成してもよい。
【図面の簡単な説明】
【００２１】
【図１】本実施形態にかかる階段の一部を示す部分斜視図である。
【図２】（ａ）（ｂ）はそれぞれ横幅板及び縦幅板を示す斜視図である。
【図３】（ａ）は本実施形態にかかる階段の一部を側面側から見た部分断面図であり、（ｂ）は（ａ）のＡ−Ａ線部分断面図である。
【図４】本実施形態の別例にかかる階段の一部を側面側から見た部分断面図である。
【図５】（ａ）は従来の階段の一部を側面側から見た部分断面図であり、（ｂ）は横幅板及び縦幅板を示す斜視図である。
【符号の説明】
【００２２】
１…側壁、１ａ…外面、２…段板、３…蹴込み板、４…横幅板、５…縦幅板、５ｂ…下端部、６…段差空間、７…腕部、７ａ…調整端部、８…切欠部、９…側隠蔽壁、１０…前隠蔽壁、Ｓ…通路、Ｇ…逃げ空間。
【図１】
2007204976.tif 000003
【図２】
2007204976.tif 000004
【図３】
2007204976.tif 000005
【図４】
2007204976.tif 000006
【図５】
2007204976.tif 000007